Podtech/llm-jp-corpus-v4-ja_patent huggingface dataset:
(57)【要約】【課題】単層窒化ホウ素ナノチューブを高純度で製造する。【解決手段】１００Ｔｏｒｒの窒素雰囲気中で、波長１．０６４μｍ、パルス幅６０ｐｓ、繰り返し回数２×１０５パルス／秒、強度２．７×１０１１Ｗ／ｃｍ２のレーザー光を、ターゲットとしての窒化ホウ素に照射する。【選択図】      図１
2005008431.tif 000002
【特許請求の範囲】
【請求項１】
１００Ｔｏｒｒの窒素雰囲気中で、波長１．０６４μｍ、パルス幅６０ｐｓ、繰り返し回数２×１０５パルス／秒、強度２．７×１０１１Ｗ／ｃｍ２のレーザー光を、ターゲットとしての窒化ホウ素に照射することを特徴とする単層窒化ホウ素ナノチューブの製造方法。
【発明の詳細な説明】
【０００１】
【発明の属する技術分野】
この出願の発明は、単層窒化ホウ素ナノチューブの製造方法に関する。さらに詳しくは、この出願の発明は、半導体材料、エミッター材料、耐熱性充填材料、高強度材料、触媒等の分野において従来にない特性を有する材料として見込まれる窒化ホウ素の単層ナノチューブを高純度で製造することのできる単層窒化ホウ素ナノチューブの製造方法に関する。
【０００２】
【従来の技術】
炭素原子が筒状に並んだナノメートルサイズのチューブ状炭素物質、カーボンナノチューブが知られている。このカーボンナノチューブは、アーク放電法、レーザー加熱法、化学的気相成長法等により合成されており、直径、巻き方、層数等によって導体あるいは半導体の性質を示す。
【０００３】
近年、窒化ホウ素が、グラファイトと構造的な類似性があることから、窒化ホウ素ナノチューブもまた、上記と同様な方法により合成されている。この他、窒化ホウ素ナノチューブの製造方法については、ホウ化ニッケルを触媒に使用し、ボラジンを原料として合成する方法（たとえば、非特許文献１参照）やカーボンを鋳型として使用し、酸化ホウ素と窒素を高周波誘導加熱炉中で反応させて合成する方法（たとえば、特許文献１、２参照）が提案されている。窒化ホウ素ナノチューブには、カーボンナノチューブと比較して熱的、化学的に安定であるという大きな利点がある。このことから、窒化ホウ素は、半導体材料、エミッター材料、耐熱性充填材料、高強度材料、触媒等の分野において従来にない特性を有する材料として見込まれている。
【０００４】
【非特許文献１】
Ｏ．Ｒ．Ｌｏｕｒｉｅ外，ケミカル・マテリアルズ（Ｃｈｅｍ．Ｍａｔｅｒ．），２０００年，第１２巻，ｐ．１８０８
【特許文献１】
特開２０００−１０９３０６号公報
【特許文献２】
特開２００２−９７００４号公報
【０００５】
【発明が解決しようとする課題】
しかしながら、上述の窒化ホウ素ナノチューブの製造方法には、安全性において、また、カーボン等の不純物を含む等の問題があり、窒化ホウ素ナノチューブの半導体特性や強度等の物理的特性を測定することは困難であった。
【０００６】
この出願の発明は、このような事情に鑑みてなされたものであり、炭素等の不純物を含まない高純度の単層窒化ホウ素ナノチューブを製造することのできる単層窒化ホウ素ナノチューブの製造方法を提供することを解決すべき課題としている。
【０００７】
【課題を解決するための手段】
この出願の発明は、上記の課題を解決するものとして、１００Ｔｏｒｒの窒素雰囲気中で、波長１．０６４μｍ、パルス幅６０ｐｓ、繰り返し回数２×１０５パルス／秒、強度２．７×１０１１Ｗ／ｃｍ２のレーザー光を、ターゲットとしての窒化ホウ素に照射することを特徴とする単層窒化ホウ素ナノチューブの製造方法を提供する（請求項１）。
【０００８】
【発明の実施の形態】
この出願の発明の単層窒化ホウ素ナノチューブの製造方法では、窒素の減圧下で短時間−超高繰り返し回数のパルスレーザーを、ターゲットとしての窒化ホウ素に照射することにより、レーザー光の焦点付近にすす状の生成物を堆積させる。この生成物の中に、不純物のきわめて少ない高純度の単層窒化ホウ素ナノチューブが含まれる。
【０００９】
短時間−超高繰り返し回数のレーザー照射法により単層窒化ホウ素ナノチューブが得られることは、従来技術にはない画期的なことである。
【００１０】
以下、実施例を示し、この出願の発明の単層窒化ホウ素ナノチューブの製造方法についてさらに詳しく説明する。
【００１１】
【実施例】
１００Ｔｏｒｒの窒素減圧中で、波長１．０６４μｍ、パルス幅６０ｐｓ、繰り返し回数２×１０５パルス／秒、レーザー強度２．７×１０１１Ｗ／ｃｍ２の短時間−超高繰り返し回数のレーザーを、ターゲットとしての窒化ホウ素に照射した。レーザー光の焦点付近にすす状の生成物が堆積した。生成物は、質量分析装置を用いて測定した結果、不純物の総量が２２０ｐｐｍ以下の高純度であった。この生成物を四塩化炭素に分散して超音波処理し、カーボン膜の付いた銅グリッドに滴下して透過型電子顕微鏡観察のための試料を作製した。
【００１２】
図１は、高分解能透過型電子顕微鏡を用いて観察した像の写真である。
【００１３】
単層のナノチューブが確認された。このチューブの巻き方はジグザグ状であった。
【００１４】
図２は、得られた単層のナノチューブの電子エネルギー損失スペクトルを示した図である。
【００１５】
この図２には、１８８ｅＶと４０１ｅｖにホウ素と窒素のピークがそれぞれ現れており、Ｂ／Ｎ比は０．９±０．２である。このことから、化学量論的窒化ホウ素が生成していることが確認された。また、図２には、ホウ素、窒素以外のピークはなく、生成物である単層窒化ホウ素ナノチューブは高純度であることも確認された。
【００１６】
【発明の効果】
以上詳しく説明したとおり、この出願の発明によって、炭素等の不純物を含まない高純度の単層窒化ホウ素ナノチューブが製造される。
【図面の簡単な説明】
【図１】単層窒化ホウ素ナノチューブの高分解能透過型電子顕微鏡像の写真である。
【図２】単層窒化ホウ素ナノチューブの電子エネルギー損失スペクトルを示した図である。
【図１】
2005008431.tif 000003
【図２】
2005008431.tif 000004
(57)【要約】      （修正有）【課題】廃材となったコンクリート片の有効活用を可能にする再生コンクリート砕石を提供することである。【解決手段】適当な大きさに砕かれた廃コンクリート片１２を備え、廃コンクリート片の外面全体が、木炭皮膜１４で覆われていることを特徴とする再生コンクリート砕石１０。木炭皮膜は、液状の木炭塗料を廃コンクリート片に付着させることによって形成される。好ましくは、木炭皮膜で覆われた廃コンクリート片の外面全体に有彩色の通気性塗料１６が塗布されている。【選択図】図２
2005008491.tif 000002
【特許請求の範囲】
【請求項１】
適当な大きさに砕かれた廃コンクリート片を備え、前記廃コンクリート片の外面全体が、木炭皮膜で覆われていることを特徴とする再生コンクリート砕石。
【請求項２】
前記木炭皮膜が、液状の木炭塗料を廃コンクリート片に付着させることによって形成されることを特徴とする請求項１に記載の再生コンクリート砕石。
【請求項３】
前記木炭塗料が、少なくとも木炭粉末と所定の溶剤とを混合した液状物であることを特徴とする請求項２に記載の再生コンクリート砕石。
【請求項４】
前記木炭塗料の前記廃コンクリート片への付着が、浸漬、噴射、又は塗布によって行われることを特徴とする請求項２又は３に記載の再生コンクリート砕石。
【請求項５】
前記木炭皮膜で覆われた前記廃コンクリート片の外面全体に、有彩色の通気性塗料が塗布されていることを特徴とする請求項１から４までのいずれか１項に記載の再生コンクリート砕石。
【発明の詳細な説明】
【０００１】
【発明の属する技術分野】
本発明は一般に、コンクリート砕石に関する。より詳細には、本発明は、廃材となったコンクリート片の有効活用を可能にする再生コンクリート砕石に関する。
【０００２】
【従来の技術】
ビルディング等の鉄筋コンクリート構造物を解体すると、コンクリート片等の廃材が発生する。従来は、このような廃材となったコンクリート片（以下「廃コンクリート片」という）は、下地処理材として使用されるものを除いて、廃棄処分されている。
【０００３】
【従来の技術】
しかしながら、廃棄処分するには、廃コンクリート片の運搬等に多大の手間を要するとともに、廃棄コストがかかるという課題がある。また、近年、産業廃棄物の不法投棄が問題となっているが、廃棄処分するには、廃棄スペースが必要になるという課題もある。そこで、上述のような課題を解決するとともに、従来は廃棄されていた廃コンクリート片の有効活用に対する強い要請がある。
【０００４】
したがって、本発明は、廃コンクリート片の有効活用を可能にする再生コンクリート砕石を提供することを目的としている。
【０００５】
【発明が解決しようとする課題】
本願請求項１に記載の再生コンクリート砕石は、適当な大きさに砕かれた廃コンクリート片を備え、前記廃コンクリート片の外面全体が、木炭皮膜で覆われていることを特徴とするものである。
【０００６】
本願請求項２に記載の再生コンクリート砕石は、請求項１の再生コンクリート砕石において、前記木炭皮膜が、液状の木炭塗料を廃コンクリート片に付着させることによって形成されることを特徴とするものである。
【０００７】
本願請求項３に記載の再生コンクリート砕石は、請求項２の再生コンクリート砕石において、前記木炭塗料が、少なくとも木炭粉末と所定の溶剤とを混合した液状物であることを特徴とするものである。
【０００８】
本願請求項４に記載の再生コンクリート砕石は、請求項２又は３の再生コンクリート砕石において、前記木炭塗料の前記廃コンクリート片への付着が、浸漬、噴射、又は塗布によって行われることを特徴とするものである。
【０００９】
本願請求項５に記載の再生コンクリート砕石は、請求項１から４までのいずれか１項の再生コンクリート砕石において、前記木炭皮膜で覆われた前記廃コンクリート片の外面全体に、有彩色の通気性塗料が塗布されていることを特徴とするものである。
【００１０】
【発明の実施の形態】
次に図面を参照して、本発明の好ましい実施の形態に係る再生コンクリート砕石について詳細に説明する。図１および図２において全体として参照符号１０で示される本発明の好ましい実施の形態に係る再生コンクリート砕石は、適当な大きさに砕かれた廃コンクリート片１２を備えている。廃コンクリート片１２の大きさは、再生コンクリート砕石の用途に応じて定められ、例えば、後述するように、砂場の砂に混ぜて使用する場合には、０．５ｍｍ程度に粉砕したものが用いられる。
【００１１】
廃コンクリート片１２の外面全体は、木炭皮膜１４で覆われている。木炭皮膜１４は、液状の木炭塗料を廃コンクリート片１２に付着させることによって形成される。
【００１２】
液状の木炭塗料は、少なくとも木炭粉末と所定の溶剤とを混合した液状物である。木炭粉末の含有量は、約１０重量％〜約３０重量％であるのが好ましい。また、木炭粉末は、白炭粉末と黒炭粉末とを混合したものであるのが好ましい。白炭は、空気の浄化作用及び電磁波除去作用を有していることが知られており、一方、黒炭は、調湿作用、抗菌作用、防虫作用を有していることが知られている。
溶剤としては、例えば、メチルアルコール、シンナー等が用いられる。
【００１３】
木炭塗料を廃コンクリート片１２に付着させる方法としては、浸漬、噴射、塗布等の任意の方法を使用してよい。
【００１４】
好ましくは、木炭皮膜１４で覆われた廃コンクリート片１２の外面全体に、図２に示されるように、有彩色の通気性塗料１６が塗布されている。これにより、再生コンクリート砕石１０は、カラーの化粧砕石として、種々の用途に使用することができる。なお、通気性塗料１６は、通常のものを使用してよい。
【００１５】
以上のように構成された本発明の再生コンクリート砕石１０は、住宅の基礎の外部や床下、植木や鉢植え、砂場等の広範な用途に用いることができる。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【００１７】
【発明の効果】
本発明によれば、廃コンクリート片が木炭皮膜で覆われているので、廃コンクリート片の破砕による粉塵の発生を極力抑えることができるとともに、炭の有する浄化作用、電磁波除去作用、調湿作用、抗菌作用、防虫作用を備えたコンクリート砕石を提供することができ、これにより、従来は高コストと手間をかけて処分していた産業廃棄物の有効活用を図ることができる。また、有彩色の通気性塗料を塗布することにより、カラーの化粧砕石として使用することもできる。
【図面の簡単な説明】
【図１】本発明の好ましい実施の形態に係る再生コンクリート砕石を模式的に示した図である。
【図２】図１の再生コンクリート砕石において通気性塗料を塗布した変形例を示した図である。
【符号の説明】
１０  再生コンクリート砕石
１２  廃コンクリート片
１４  木炭皮膜
１６  通気性塗料
【図１】
2005008491.tif 000003
【図２】
2005008491.tif 000004
(57)【要約】      （修正有）【課題】ラップ（調理用）の巻き戻り状態のものを、簡単にはがし直し、再利用をできるような道具を提供する。【解決手段】ラップ巻き円筒の形に合わせ型取った弓状の道具１、その内側に最近主流である取り外し可能な再利用できるシール２、シールの衛生保持・他物への付着防止のためのカバー３、道具の外側に取っ手４をつける。  シールは汚れたら取り替えれるよう、５枚重ねにし容易にはがし交換できるよう、一辺を浮かしておく。使用時はカバー３を取り外し行う。巻き戻りしたラップ切り口にシール部分を張り付け矢印方向Ａに引くと、きれいにはがれる。又、切り口が汚い・わからない場合にも、きれいにはがす事が出きる特徴がある。【選択図】図１
2005008406.tif 000002
【特許請求の範囲】
【請求項１】
図１・図２・図３参照
イ）  ラップを巻いている円筒の形に合わせ型取った弓状の道具（１）の内側に、５枚重ねたシール（２）を付ける。シールの衛生保持・他物への付着防止のためカバー（３）を付ける。外側に取っ手（４）を付ける。
ロ）  使用時、カバー（３）は取り外す。
ハ）  弓状の道具（１）・カバー（３）及び取っ手部（４）は、プラスティック製。
ニ）  シールの粘性は、最近主流である取り外し可能な再利用のできるシール。
ホ）  シールの一辺（５）は、はがれ易いよう浮かしているもの。
ヘ）  シール部分（２）は付け替え可能であり、付け替え用シールがある。（５〜１０枚に重ねているもの。）
【請求項２】
図１参照
弓状の部分（１）が平面である、請求項１の道具。
以上のごとく構成された道具である。
【発明の詳細な説明】
【０００１】
［発明の属する技術分野］
この発明は、ラップ（調理用）の巻き戻り状態から、ラップを簡単にはがし直す道具である。
【０００２】
［従来の技術］
各ラップ製造会社は、その容器に巻き戻り防止策を採用している。これは、容器に軽度粘性のシールを貼り、ラップを切った後、ラップがシールに貼り付き巻き戻りを防止するものである。（巻き戻りストッパー）
【０００３】
［発明が解決しようとする課題］
従来の技術には、以下のような欠点がある。
イ）  ラップ容器に付いている巻き戻りストッパーは、使用上あまり役に立っておらず、巻き戻る事が多々ある。
ロ）  急いでラップを切る時・巻き戻りストッパーをきちんと固定せずに切る時など、以外に巻き戻ってしまう事が多く、ラップ再生に時間を要する。
ハ）  これまでも、雑誌・ＴＶなどの裏技コーナーでラップの巻き戻りは話題になっており、輪ゴムなどを使用するものが取り上げられていたが、実際時間を要し、きれいにはがれるものではなかった。
本発明は、これらの欠点を解消するために行われたものである。
【０００４】
［課題を解決するための手段］
ラップ巻き円筒の形に合わせ型取った弓状の道具（１）に、内側に５枚重ねたシール（２）を付ける。シールの衛生保持・他物への付着防止のためカバー（３）を付ける。外側に取っ手（４）をつける。
本発明は、以上のような構成よりなる、ラップ巻き戻り改善・再利用道具である。
【０００５】
［発明の実施の形態］
［実施例］
以下、発明の実施の形態について説明する。
イ）  巻き戻りしたラップ切り口に、図４の様に本発明道具のシール部分（２）をしっかり貼付し、ラップの巻き方向（Ｂ）を、確認、矢印方向（Ａ）に本道具を引くときれいにはがれる。又、ラップ切り口が複雑（汚い）場合もきれいにはがれる。
ロ）  切り口が見つからない場合、適当な場所に本道具のシール部を貼付、本道具を上に引くと、切り口が見つかる。後はイ）の方法と同じで、きれいにはがれる。
ニ）  シール部分（２）が、粘性が弱くなる・汚れた場合、１枚はがして次のシールで行っても変わる事なく、きれいにはがれる。
【０００６】
［発明の効果］
本発明道具を用いると、巻き戻りしたラップをきれいにはがし直す事がスムーズに行え、今まで無駄にしてきたラップを再利用する事ができる。
【図面の簡単な説明】
【図１】本発明品の斜視図である。
【図２】本発明品の一部を切り欠いた側面図である。
【図３】本発明品の真下から見た図、すべてシール（２）である。
【図４】本発明品の実施方法である。
【符号の説明】
（１）  ラップ巻き円筒の形に合わせ型取った弓状道具。
（２）  （１）の内側に付ける５枚重ねのシール。
（３）  （２）の衛生保持・他物への付着防止のためのカバー。
（４）  （１）の外側に付ける取っ手。
（５）  （２）のシールを容易にはがすための箇所。
（６）  ラップ本体。
［矢印の説明］
（Ａ）  本発明道具の実施時、引く方向。
（Ｂ）  ラップの巻いている方向。
【図１】
2005008406.tif 000003
【図２】
2005008406.tif 000004
【図３】
2005008406.tif 000005
【図４】
2005008406.tif 000006
(57)【要約】【課題】ゴミ集積場に出されたゴミを漁るカラスなどの被害を防ぐ目的でゴミネットを被せておりますが、年々増え続けるカラスに加え、ゴミ出しする住民のマナーの悪さもあり、それだけではカラスの害を減らすのが困難で、更なる対策が必要になってきました。ゴミ出し用の袋に唐辛子やその成分を塗布又は練りこんだ製品も開発販売されておりますが高価で、全ての人が使うとは考えられません。【解決手段】そこでそのゴミネット自体に唐辛子、或いはその成分を塗布又は練り込む、或いはネットの周囲に唐辛子、或いはその成分を塗布又は練り込んだものを取り付けることでこの問題がかなり解決出来るのではないかと考えました。【選択図】  図２
2005008403.tif 000002
【特許請求の範囲】
【請求項１】
唐辛子（植物の実）或いは唐辛子成分（カプサイシン類など）を塗布又は混入して作成されたゴミネット
【請求項２】
唐辛子（植物の実）或いは唐辛子成分（カプサイシン類など）を塗布又は混入して作成されたゴミネット付属品によって構成された請求項１のゴミネット
【発明の詳細な説明】
【０００１】
【発明の属する技術分野】
本案はゴミ集積場におけるカラスや野良猫の害を減少させる考案に関する。
【０００２】
【従来の技術】
東京都内をはじめ、カラスなどがゴミ集積場に出されたゴミを漁り、散らかす被害を防ぐ目的で各自治体から提供される、所謂ゴミネットを被せて被害の防止を図っておりますが、年々増え続けるカラスに加え、ゴミ出しする住民のマナーの悪さもあり、これだけでは防ぎ切れないということが言われるようになってきました。
【０００３】
そこでゴミ出し用の袋に唐辛子やその成分を塗布又は練りこんだ製品を作り、ゴミネットからはみ出して置いてもカラスに突付かれないゴミ袋が開発販売されております。
（特開平０９−１６９４０１  ゴミ入れ用袋  参照）
【０００４】
とはいえ現在、専用のゴミ袋を使わず、スーパーストアー、コンビニ、小売店などの袋に入れて出している人もかなりのパーセンテージになっております。そのスーパーなども現在ではゴミ袋に転用することを見込んで買い物袋を半透明に変えて協力しているようですが、いくら指定のゴミ袋全てを唐辛子成分を練り込んだゴミ袋に変えても、全ての買い物袋に唐辛子やその成分を塗布または練り込んでの協力は、袋を半透明に変えるほど簡単ではなく、協力を得られるとしてもごく僅かだと思われます。
【０００５】
【課題を解決する手段】
そこでそのゴミネット自体、或いはネットの周囲に唐辛子、或いはその成分を塗布又は練り込んだものを取り付けることでこの問題がある程度解決出来るのではないかと考えました。
【０００６】
【実施例】
ゴミネット本体に塗布又は練りこむ場合はネットの網目が細かい方が効果があり、周囲に重点的に使用した方が効果があることが分かりました。
そこでネット自体に施工するだけでなく、ネット周囲、ロープ周辺からの進入を防ぐ目的で周囲に唐辛子やその成分を塗布又は混入したシート、網目の細かいネットロープで作られた簾状のもの、布などの素材を簾状にカットしたものなどを取り付けました。
【０００７】
【発明の効果】
単に従来のゴミネットを被せてカラスや野良猫などのゴミ荒し防止策に比べ、周囲から袋を出して食べ散らかす害を減少させることができます。
又、ゴミ袋に塗布、混入した場合はこのゴミ袋を使用してくれないと効果がないのに比べ、本案はマナーさえ守り、ネットの下に入れてさえしてくれればかなりの効果が期待できます。
【図面の簡単な説明】
【図１】一般的なゴミネットに唐辛子或いはその成分を塗布又は混入したゴミネット
【図２】一般的なゴミネットに唐辛子或いはその成分を塗布又は混入したシートを取り付けた図
【図３】一般的なゴミネットに唐辛子或いはその成分を塗布又は混入したネットを取り付けた図
【図４】一般的なゴミネットに唐辛子或いはその成分を塗布又は混入した簾状のロープや簾状に切れ目を入れた布を取り付けた図
【符号の説明】
１  ゴミネット
２  縁取りロープ
３  唐辛子或いはその成分をを塗布又は混入したシート
４  唐辛子或いはその成分を塗布又は混入したネット
５  唐辛子或いはその成分を塗布又は混入した簾状のロープや簾状に切れ目の入った布
【図１】
2005008403.tif 000003
【図２】
2005008403.tif 000004
【図３】
2005008403.tif 000005
【図４】
2005008403.tif 000006
(57)【要約】【課題】福祉介護レンタル用具収納、及び異業種重量物収納に関し、加工場、倉庫のスペース問題から人力では段層収納は難しく、設備費・スペースに問題があった。【解決手段】手動タイプとこの方式から軽量化と壁面設置が可能となり、設置面積が少なく前面集中操作から安全に使用、且つ設備費用が低価格で使用できる。【選択図】  なし【特許請求の範囲】
【請求項１】
電動車椅子・車椅子，及び重量物・商品等の収納管理における手動，及び電動による昇降格納装置であり、収納スペースを効率的に考えた装置である。
【請求項２】
２段昇降部と３段昇降部とが連動されており、１作業工程で２段の昇降部を吊り上げ出きる機能で、作業効率を高めた機能設計装置である。
【請求項３】
駆動部は手動ハンドルと後付け電動が可能な機能とし応用範囲として兼用可能な装置である。
【発明の詳細な説明】
【０００１】
【発明の属する技術分野】
本発明は電動車椅子・車椅子，及び重量物・商品等の収納格納昇降装置として連結吊り上げ構造を取り入れ収納スペースを簡素化、昇降作業の省力化を考えた装置に関して。
【０００２】
【従来の技術】
従来の昇降装置は殆ど２段が多く、吊り上げ式，油圧式が機能的に採用されている。
【０００３】
【発明が解決しようとする課題】
従来の昇降機装置にあっては、１段毎の駆動式となり昇降作業に時間がかかる問題点があった。
【０００４】
従来の昇降機装置は、駆動個所が２箇所使用のため装置が大きく、重量的にも重くなるという問題点があった。
【０００５】
従来の昇降機装置は、操作面で複雑な操作を要し、安全性から安全確認がしにくい問題点があった。
【０００６】
本発明は、作業時間の短縮、装置の小型化及び軽量化、安全性の確保を目的としている。
【０００７】
【課題を解決するための手段】
上記問題点の解決方法として、従来の昇降機装置とは違い、連結自動吊り上げ方式と一体操作連動方式にし、作業効率アップ、操作省力化を高める方法を考えたものである。
【０００８】
安全性，駆動効率を考え昇降駆動本体部を中心に取り付け、４箇所固定部とのバランス強化から従来の重量構造と同じ耐久、揚量負荷対応を可能にした構造である。
【０００９】
【発明の実施の形態】
発明の実施の形態を実施例にもとづき図面を参照して説明する。
図２において、上部小降板に電動車椅子・車椅子、及び重量物・商品等を載せ、駆動ハンドル１０を駆動することにより伝動軸１１を伝わり、ウォーム減速機６から駆動チェーン４に連動し、伝動ドラム３から引き揚げドラム２に連伝され、引き揚げチェーン１から上部昇降板９を引き揚げることにより、上部昇降板９は一定位置で固定ロックされます。
【００１０】
図１の示される実施例では、中部昇降板８に電動車椅子・車椅子、及び重量物・商品等を載せ、上記操作を繰り返すことにより、上部昇降板９から連結された４本の流動固定アーム５が、中部昇降板８を吊り上げていき、一定位置で固定ロックされます。
【００１１】
図１の示される実施例において、下部昇降板７に、電動車椅子・車椅子、及び商品等の収納になります。
【００１２】
【発明の効果】
本発明は、以上説明したように構成されているので、以下に記載されるような効果を奏する。
【００１３】
小スペース，軽量小型で駆動負荷等が少なくできる。
【００１４】
従来品より簡単構造で設備費，維持費が安くできる。
【００１５】
全面操作から作業性がよく，安全確認がし易い。
【００１６】
【図面の簡単な説明】
【図１】電動車椅子手動式３段昇降装置の正面図であり、完全３段収納状態である。
【図２】電動車椅子手動式３段昇降装置の側面図であり、使用前の状態である。
【符号の説明】
１  引き揚げチェーン
２  引き揚げドラム
３  伝動ドラム
４  駆動チェーン
５  流動固定アーム
６  ウォーム減速機
７  下部昇降板
８  中部昇降版
９  上部昇降版
１０  駆動ハンドル
１１  伝動軸
１２  駆動軸
【図１】
2005008405.tif 000002
【図２】
2005008405.tif 000003
(57)【要約】      （修正有）【課題】花本来の美しさを保ったまま、花粉が衣服等に付着することによる汚れの発生を防止する、花、切り花及びその製造方法の提供。【解決手段】有機化合物を溶解又は分散する溶液を、花のおしべ部分に付着後、乾燥させることにより、有機化合物でおしべ部分を被覆し、特に、ユリなどの花粉による衣服等の汚れを防止する。【選択図】  図２
2005008576.tif 000002
【特許請求の範囲】
【請求項１】
花のおしべ部分の少なくとも一部を有機化合物により被覆した花。
【請求項２】
花のおしべ部分の少なくとも一部に、有機化合物を溶解又は分散した溶液を付着後、該溶液中の溶媒を除去する請求項１に記載した花の製造方法。
【請求項３】
有機化合物と、該有機化合物を溶解又は分散する溶媒を含有する花のおしべ部分の少なくとも一部を被覆するための溶液。
【発明の詳細な説明】
【０００１】
【発明の属する技術分野】
本発明は、おしべ部分を被覆した花及び切花に関する。
【０００２】
【従来の技術】
ユリなどの花は、粘着性の花粉を多量に有するため、生け花、花束、鉢植え、ドライフラワー等に販売する際、及び、装飾用としてそのまま使用した場合に衣服などを汚し、その汚れを除去することが非常に困難である。このため、これらの花を、販売する際、及び、装飾用に使用する際には、開花時、又は、販売時におしべを切除する方法がとられている。しかし、こうした方法をとった場合、花本来の美しさが著しく損なわれる。
【０００３】
この問題を解決するために、特開平１１−３４１９２２には、パラフィンを低級炭化水素溶媒に溶解させた溶液により、花のおしべから、花粉のみを除去することが提案されている。しかしながら、この方法によっても、花粉を除去することにより、花本来の美しさが損なわれることは、免れないものである。
【０００４】
【発明が解決しようとする課題】
本発明は、前記の課題を解決し、花本来の美しさを保ったまま、花粉が衣服等に付着することによる汚れの発生を防止し、又、衣服等に花粉が付着した場合でも、容易に洗濯可能とする、花、切花、及び、その製造方法を提供し、又、その製造方法に使用するための液を提供するものである。
【０００５】
【課題を解決するための手段】
本発明者らは、おしべ部分に、有機化合物を溶解又は分散した液体を付着させ、液体部分のみを蒸発により除去させることにより、該有機化合物によっておしべ部分を被覆させることにより本発明を完成させたものである。
【０００６】
【発明の実施の形態】
本発明における有機化合物とは、スチレン系重合体、アクリル系重合体、ポリエステル系重合体、シリコン系重合体、フッ素系重合体等の、無色又は淡色の合成高分子樹脂の他、ゼラチン、寒天、でんぷん、キトサン、レシチン、ペクチンなどの天然物由来の化合物、カルボキシメチルセルロース、メチルセルロース、キサンタンガムなどの多糖類、脂肪酸、脂肪酸エステル、パラフィンワックス、カルナバワックス、マイクロワックス、木蝋、蜜蝋等のワックス類、ポリビニルアルコール、高級アルコール、ソルビタン酸脂肪酸エステル、アルギン酸、セラニック樹脂などを使用することができる。
【０００７】
これらの有機化合物を溶解又は分散する溶媒としては、水、メチルアルコール、エチルアルコール、グリセリン等のアルコール類、トルエン、セロソルブ、キシレン等の有機溶媒等を使用することができる。これらのうちで、揮発性有機溶剤が好ましく、特に、アルコール類が好ましい。
【０００８】
又、有機化合物を溶媒中に分散、溶解するために、界面活性剤等を使用することができる。
【０００９】
前記溶媒と有機化合物を混合、溶解した溶液としては、ワニス、酒精、ワニス、ラッカー等が市販されている。
【００１０】
本発明に係る溶液を、おしべ部分にのみ、又は、おしべ部分に主に、付着させる方法としては、スポイト等により、おしべ部分に溶液を滴下する方法や、スプレー噴霧によりおしべ部分に溶液を付着する方法などがある。尚、本発明に係る溶液は、主に、花のおしべ部分にのみ付着させることが好ましく、より好ましくは、主に、おしべの葯にのみ付着させることが好ましい。花弁、花びらに該溶液を多量に付着させると、花の美観を損なう場合がある。
【００１１】
図１から図３に、ユリの花のおしべを模式的に示す。図１の１が花糸、２が葯、葯の中央部の太線で示される３が葯の裂開部で、図２及び図３の点模様で示された４が花粉である。
【００１２】
ユリの花のつぼみの状態から、開花直後は、図１に示すように裂開部が閉じた状態で、その後、数時間から数日で、裂開部が徐々に開き、図２に示す状態を経て、図３に示すように、裂開部が完全に開いた状態となる。
【００１３】
【実施例１】
合成樹脂を溶解したエチルアルコール溶液をスポイトに取り、開花直後の切花であるユリの、おしべ部分である閉じた状態の裂開部に該溶液を付着させ、そのまま風乾させた。該裂開部は、溶液からエチルアルコールが蒸発して残った合成樹脂の接着力により、閉じたままの状態となり、おしべ部分から、花粉が露出することは、無かった。
【００１４】
【実施例２】
開花してしばらく経た、おしべの葯の裂開部が図２および図３に示されるように、開いた状態のユリのおしべ部分に、合成樹脂を溶解したエチルアルコール溶液を、スポイト又はスプレーにより付着させ、そのまま風乾させる処理を行った。
【００１５】
このような処理を行ったおしべ部分と、このような処理を行わなかったおしべ部分に、布を接触させ、擦ることにより、布への花粉付着量、布の洗濯容易性を比較したところ、該処理をしたおしべ部分から布へ付着する花粉は、該処理を行わなかったものより少なかった。
【００１６】
又、花粉が付着した布を水洗浄したところ、該処理をしたおしべ部分からの花粉は、該処理をしなかったものより、多くの量の花粉が、布より洗浄された。これは、ミクロンオーダーの大きさの花粉が、該処理により、凝集固着し、より大きなものとなって、布より脱落しやすくなり、洗濯容易性が向上したものと考えられる。
【００１７】
【発明の効果】
以上、述べたように、本発明により、花本来の美しさを保ったまま、花粉が衣服等に付着することによる汚れの発生を防止し、又、衣服等に花粉が付着した場合でも、容易に洗濯可能とする、花、切花を提供することができる。
【図面の簡単な説明】
【図１】烈開部３が閉じた状態のユリの花のおしべの模式図
【図２】烈開部３が若干開いた状態のユリの花のおしべの模式図
【図３】烈開部３が完全に開いた状態のユリの花のおしべの模式図
【符号の説明】
１  花糸
２  葯
３  葯の裂開部
４  花粉
【図１】
2005008576.tif 000003
【図２】
2005008576.tif 000004
【図３】
2005008576.tif 000005
(57)【要約】【課題】写真・映像・音楽等を、自分のオリジナル作品や思い出のアルバムとして、ＣＤやＤＶＤ等で保存するためのジャケットは、デジタルカメラや家庭用プリンター及びパソコンを用いて、自分の創作を楽しむことが出来るように、安価で組み立てが簡単な、紙ジャケット用紙を作るのが目的である。【解決手段】紙ジャケットの用紙サイズを日本工業規格とし、その用紙にジャケット組み立て型紙が抜き取れる切れ目を入れ、型紙の範囲にオリジナルの印刷装丁をした後、簡単に組み立てが出来るようにした。【選択図】    図  １
2005008272.tif 000002
【特許請求の範囲】
【請求項１】
紙ジャケット用紙（１）に、紙ジャケット型紙（２）の型紙切れ目（３）及び組み立て折り目プレス跡（４）を付けた、ＣＤ等の紙ジャケット用紙
【発明の詳細な説明】
【０００１】
【発明の属する技術分野】
この発明は、紙ジャケット用紙（１）に、組み立式の紙ジャケット型紙（２）の型紙切れ目（３）及び組み立て折り目プレス跡（４）を入れた、ＣＤ等の紙ジャケット用紙に関するものである。
【０００２】
【従来の技術】
従来の紙ジャケット形式は、いくつか商品化されているが、ジャケットの装丁として、パソコンと市販のプリンターを使って、写真・絵・文字等を自由に印刷出来るジャケット用紙としての形式のものは見当たらなかった。
【０００３】
【発明が解決しようとする課題】
ＣＤ等のジャケットの装丁として、ラベルを印刷して貼る方法はジャケット全面に行うことが困難である。
本発明は、ビデオテープに代わってＣＤやＤＶＤが、メディアとして広く使用されるようになったので、オリジナル作品、思い出のアルバム、プレゼント用等のジャケット装丁として、自由に印刷が出来て、組み立てが簡単な紙ジャケット用紙を市場に提供するものである。
【０００４】
【課題を解決するための手段】
１．用紙（１）のサイズをＡ４等の日本工業規格とすることによって、印刷用のソフトに汎用性がある。
２．印刷するパソコン操作は、印刷範囲及び余白の上下左右を指定することによって型紙（２）の所定の場所に印刷することが出来る。
３．用紙（１）の厚さは、市販のプリンターシートフィーダーが使える範囲の厚手のものとする。
４．用紙（１）には、印刷後ジャケット組み立て型紙（２）が容易に抜き取れる切れ目（３）が入っている。
５．型紙（２）の組み立てを容易にするため、折り目にプレス跡（４）を付ける。
６．のりしろ（５）の接着は、２箇所を両面テープ又はのりで貼るだけの、簡単な作業で組み立てが出来る。
７．型紙（２）の輪郭線を印刷した普通紙による、テスト印刷用紙（６）を付属品とすることによって、用紙（１）のミスプリントを避けることが出来る。
【０００５】
【発明の実施の形態】
１．本発明は以上のような構成であるから、用紙（１）はホワイトピーチケント１８０Ｋ、ＰＨＯ２２５Ｋ及び写真用紙等と同等品が適している。
２．型紙（２）を抜き取る切れ目（３）は、金型で打ち抜いたものである。
３．折り目プレス跡（４）は、金型プレスで谷折りが容易に出来るようにした。
４．商品展開としては、１０枚〜１００枚を１パックとし、付属品としてＣＤ等を入れるクロス付きビニール袋及びプレゼント用にラッピングするＯＰＰ袋を、キットや別売りにすると流通し易い。
【０００６】
【発明の効果】
１．本発明は、以上のような構成だから、シンプルで自由度の高いオリジナルジャケットを作成するための用紙を、安価に提供出来る。
２．ジャケットにラベル印刷したものを貼る方法に比べると、格段に装丁の創作を楽しむことが出来る。
【図面の簡単な説明】
【図１】紙ジャケット用紙を示した図である。
【図２】テスト印刷用紙を示した図である。
【符号の説明】
（１）は紙ジャケット印刷用紙
（２）は紙ジャケット型紙
（３）は型紙切れ目
（４）は組み立て折り目プレス跡
（５）はのりしろ
（６）はテスト印刷用紙
【図１】
2005008272.tif 000003
【図２】
2005008272.tif 000004
(57)【要約】【目的】一斗缶等に入ったペンキなどの内容物を小分けする作業の際に、容易に汚さずに小分けを行なえるようにする。【構成】ペットボトルの上半分の形状の物の底部を缶の口金に装着できるようにする。【選択図】  図３
2005008271.tif 000002
【特許請求の範囲】
【請求項１】
一斗缶等の内容物を小分けする際に、
一斗缶等の口金に取り付けて用いるペットボトル型注出補助具
【発明の詳細な説明】
【０００１】
一斗缶等の内容物を小分けする際に、一般に舌状の注出補助具を用いて内容物を出した場合でも、内容物がペンキであれば舌状の注出補助具は勿論のこと、一斗缶等の口金の周囲に内容物が付着し、ほっておけば付着物が固まり、さらに注ぎにくくなるために拭き取る作業が要求されます。
本発明は、そうした手間を除き、内容物をまるで飲料を注ぎ出すように容易に缶を汚さずに出す為のペットボトル形状の注出補助具である。
【０００２】
ＰＥＴ（ポリエチレンテレフタレート）や多層プラスチックなどの素材は多少伸び縮みするので、それらの素材で造られたペットボトル形状の注出補助具は缶の口金部分に対して容易に取り外しができ、尚且つ缶の口金に密着し、内容物の注出時における漏れを全くなくすことができる。つまり、短期間に何度も小分けを要する際には、装着したままにしておける便利な簡易注出補助具である。
【図面の簡単な説明】
【図１】一斗缶の口金に取り付けたペットキャップの断面図である。
【図２】一斗缶の口金に取り付けたペットキャップの平面図である。
【図３】一斗缶の口金に取り付けたペットキャップの見取り図である。
【符号の説明】
１  ペットキャップ
２  一斗缶
３  一斗缶の口金
【図１】
2005008271.tif 000003
【図２】
2005008271.tif 000004
【図３】
2005008271.tif 000005
(57)【要約】【課題】封筒、プラスチック包装を使用しない折りたたみ式印刷物を郵便、宅配メール便で発送できるよう提供。【解決手段】印刷物を開口部が一ヶ所になる様折りたたみ、開口部の任意な位置に剥離可能なテープを貼り封緘する。【選択図】図１
2005350137.tif 000002
【特許請求の範囲】
【請求項１】
色々なサイズの印刷物を折りたたんでいき二つ折りでも、三つ折りでも、４つ折りでも、五つ折りでも開口部は一箇所にし、開口部の任意な位置に剥離可能なテープを貼り封緘する折りたたみ式印刷物郵便宅配発送方法。
【発明の詳細な説明】
【技術の分野】
【０００１】本発明は封筒、プラスチック包装が家庭に送られ大半がゴミになり、ゴミの削減をするための、郵便、冊子小包、宅配メール便に対応した発送可能な印刷物に関するものである。
【背景技術】
【０００２】従来、印刷物は封筒もしくはプラスチック包装に封入して郵送もしくは宅配で発送していた。
【発明の開示】
【発明が解決しようとする課題】
【０００３】そのため次のような問題があった。
（イ）家庭に送られる封筒、包装に使用されるプラスチックは大半がゴミになり環境に悪影響を及ぼしている。
（ロ）印刷物を郵送、発送する場合、封筒、プラスチック包装に封入、封緘作業が必要で手間がかかっていた。
（ハ）封筒、プラスチック包装で郵送、発送すると内容物がわからない。
【問題を解決するための手段】
【０００４】印刷物を開口部が一ヶ所になる様折りたたんでいき、開口部は剥離可能なテープをはり封緘し郵送、宅配メール便に対応する折りたたみ式郵送宅配発送方法。
【発明の効果】
【０００５】（イ）封筒、プラスチック包装を使用しない為、家庭、事業所に送られるゴミの削減に貢献。
（ロ）封筒、プラスチック包装を使用しない為、封入作業、封緘作業が省けコスト削減に貢献。
（ハ）封筒、プラスチック包装を開ける手間が省け印刷物発送で最も重要な開封率のアップが期待できる。
【発明を実施するための最良の形態】
【実施例】
【０００６】印刷物を開口部が一ヶ所になる様折りたたんでいき、開口部を剥離可能なテープを貼り封緘する。
以下、図面を参照して、本発明の実施形態について、さらに詳しく説明する。
二つ折り、三つ折りもあるがここでは４つ折りについて説明します。
折りたたみ予定線５によって区画された片４を片３に向け折りたたみ予定線５より谷折りし、続けて片１を片２に向け折りたたみ予定線５より谷折りたたんでいき、続けて片１と片２が重なった片と片３と片４が重なった片を折りたたみ予定線５より谷折りし一体とする。一体となった片開口部に剥離可能なテープ６を貼り封緘する。
【図１】
2005350137.tif 000003
【手続補正書】
【提出日】平成16年8月2日(2004.8.2)
【手続補正１】
【補正対象書類名】明細書
【補正対象項目名】全文
【補正方法】変更
【補正の内容】
【発明の詳細な説明】
【技術の分野】
【０００１】本発明は封筒、プラスチック包装が家庭に送られ大半がゴミになり、ゴミの削減をするために郵便、冊子小包、宅配メール便に対応した発送可能な印刷物に関するものである。
【背景技術】
【０００２】従来、印刷物は封筒もしくはプラスチック包装に封入して郵送もしくは宅配で発送していた。
【発明の開示】
【発明が解決しようとする課題】
【０００３】そのため次のような問題があった。
（イ）  家庭に送られる封筒、包装に使用されるプラスチックは大半がゴミになり環境に悪影響を及ぼしている。
（ロ）  印刷物を郵送、発送する場合、封筒、プラスチック包装に封入、封緘作業が必要で手間がかかっていた。
（ハ）  封筒、プラスチック包装で郵送、発送すると内容物がわからない。
【問題を解決する手段】
【０００４】印刷物を開口部が一ヶ所になる様折りたたんでいき、開口部は剥離可能なテープをはり封緘し郵送、宅配メール便に対応する折りたたみ式郵送宅配発送方法。
【発明の効果】
【０００５】（イ）  封筒、プラスチック包装を使用しない為、家庭、事業所に送られるゴミの削減に貢献
（ロ）  封筒、プラスチック方法を使用しない為、封入作業、封緘作業が省けコスト削減に貢献。
（ハ）  封筒、プラスチック包装を開ける手間が省け印刷物発送で最も重要な開封率のアップが期待できる。
【発明を実施するための最良の形態】
【実施例】
【０００６】印刷物を開口部が一ヶ所になる様折りたたんでいき、開口部を剥離可能なテープを貼り封緘する。
以下、図面を参照して本発明の実施形態についてさらに詳しく説明します。
二つ折り、三つ折りもあるがここでは四つ折りについて説明します。
折りたたみ予定線５によって区画された片４を片３に向け折りたたみ予定線５より谷折りし、続けて片１を片２に向けて折りたたみ予定線５より谷折りたたんでいき、続けて片１と片２が重なった片と片３と片４が重なった片を折りたたみ予定線５より谷折りし一体とする。一体となった片開口部に剥離可能なテープ６を貼り封緘する。
【図面の簡単な説明】
【図１】本発明の折りたたみ式郵便宅配発送方法の製作状態を示す展開図。
【符号の説明】
１〜４  折りたたみ片
５      予定折り線
６      剥離可能なテープ
(57)【要約】【課題】  従来の食料品店が使用している食料品を入れる容器は、発砲スチロール製のトレイである。発泡スチロール製のトレイは、食料品を取り出した後、洗浄して乾燥させてからリサイクルごみとして出さなければならない。この作業が主婦にとってわずらわしいものである。【解決手段】  食料品店で使用されているトレイの材質を発砲スチロールから本発明の竹の皮を主原料とした素材に変えることによって、ゴミ分別を簡素化できる。【特許請求の範囲】
【請求項１】
粉砕した竹の皮と補強材とを混合した素材。
【発明の詳細な説明】
【技術分野】
【０００１】  本発明は、食料品店で食品などを入れる容器の素材に関する。
【背景技術】
【０００２】  従来の食料品店で食料品を入れる容器の素材は、発砲スチロールが多く使用されている。
【発明の開示】
【発明が解決しようとする課題】
【０００３】  近年、ゴミの分別が義務化され、食品を入れた発砲スチロール製のトレイは、その容器を洗浄して乾燥させてから、リサイクルごみとして出さなければならない。この作業は、一般家庭の主婦にとってわずらわしい作業であり、食料品を購入するかぎり続く作業である。【０００４】  本発明は、従来の発砲スチロール製の食品容器の使用後の分別の煩わしさを省くためと自然界に存在する資源の有効活用を目的とする。
【発明が解決しようとする手段】
【０００５】  食料品容器の素材を発砲スチロールから、本発明の竹の皮を主原料とした素材の容器に変えることで燃えるゴミとして分別でき、誤って自然界に捨てられても、腐敗して土に還元するものである。
【発明の効果】
【０００６】  本発明の素材を食料品店が食料品を入れるトレイに使用することによって、一般家庭のゴミ分別作業を簡素化してくれる。
【発明を実施するための最良の形態】
【０００７】  竹の皮を粉砕して、メリケン粉などの粘着性のある補強材とを混合し、水を加え、ペースト状に練り上げてから、トレイなどの容器に加工する。
(57)【要約】【課題】解決しようとする問題点は、金具取り付けの手間と取り付けにかかる部品の脱落による付近の食品等への異物混入の可能性を少なくするものであり、衝撃により引っ掛かりが外れる事を想定し爪で押える強度を調整する。【解決手段】金具等取り付けの手間を少なくするため爪で台座をホールドする方法を採用するが、脱落を防ぐ為ボルトを使う代わりに台座がひっかかって抜けにくくすることにした。爪の大きさと位置を抜け方向に近づけることにより力を分散することをする。【選択図】図１
2005350004.tif 000002
【特許請求の範囲】
【請求項１】
食品の異物混入を無くする為、各種台車の取り付けのネジ類を不要にすべく、キャスター等金具の台座のコーナー一箇所に引っかかりの為の曲げ加工をし、本体取り付け部台座にキャスター等金具台座を固定する為の爪と台座の曲げ加工部分がはまる穴もしくはくぼみを付けた固定装置。
これにより金具が本体からはずれることを防ぐことが出来る、これは、キャスター等金具挿入後に曲げ加工をしても、本体にダボを設けキャスター等金具台座にある穴にはまるようにしても同じ効果を有する取り付け方法。
【発明の詳細な説明】
【技術分野】
【０００１】
本発明は、台車やワゴン・機械ボックスに、台座付部品を取り付ける取り付け方法に関するものである。
【背景技術】
【０００２】
台座付キャスター等の取り付け方法は、４箇所の穴に本体よりボルト止めするかリベット止めを前提としており、ボルト止めの箇所を減らす為爪でキャスターを固定する取り付け台座も考案されていた、がいずれも挿入する一方向は外れるのを防ぐ為爪を付けることが出来ない、そのため１箇所はボルト止めしたり抜け方向にリベット止めする為、異物混入の不安は残った。
【発明の開示】
【発明が解決しようとする課題】
【０００３】
解決しようとする問題点は、金具取り付けの手間と取り付けにかかる部品の脱落による付近の食品等への異物混入の可能性を少なくするものである。
【課題を解決するための手段】
【０００４】
本発明は、金具等取り付けの手間を少なくするため爪で台座をホールドする方法を採用するが、脱落を防ぐ為ボルトを使う代わりに台座がひっかかって抜けにくくすることにした。
【発明の効果】
【０００５】
本発明の取り付け方法は取り付け組立てが楽な上従来異物混入防止の為溶接で直接取り付けていたものと違い、ユーザーが自分で部品の取替えが行えるようになった。
【実施例１】
【０００６】
図１は、本発明構造の実施例の正面図であって1〜９は図２図3と同様である、取り付け座２の爪５にはまったキャスター等の金具３の台座４の挿入方向は開放しておく必要がある為、従来挿入後金具３の台座４に標準のネジ穴と、取り付け座に設けたネジ穴にネジで固定していたが、台座４のコーナーを一部折り曲げ６とし取り付け座２に設けた図２図３穴７にはめ込むことにより図３開放方向８への抜けを防ぐ。
折り曲げ６は取り付け座２の穴７があることにより、金具３挿入後台座４の一角を穴７に向かって力を加え、折り曲げ６にしても良い。
【図面の簡単な説明】
【０００７】
【図１】金具の抜け防止を実施方法を説明した正面図である。
【図２】金具の抜け防止を実施方法を説明した断面図である。
【図３】金具の抜け防止を実施方法を説明した上面図である。
【図４】金具の抜け防止を実施した全体正面図である。
【図５】金具の抜け防止を実施した全体底面図である。
【符号の説明】
【０００８】
１    筺体もしくは台車本体
２    取り付け座
３    部品
４    部品側台座
５    爪
６    折り曲げ
７    抜け止穴
８    開放方向
【図１】
2005350004.tif 000003
【図２】
2005350004.tif 000004
【図３】
2005350004.tif 000005
【図４】
2005350004.tif 000006
【図５】
2005350004.tif 000007
(57)【要約】【目的】従来のプロペラは空気をうしろにおいやるがこの時広範囲にわたり推力を分散してしまう、このため推力が弱い。またエネルギーをロスしてしまう。また速く飛ぶ事が不可能である、これを解決するものである。【解決手段】二枚のラセンのプロペラ１を流線形の一部の形の軸３に設ける。その中心にエンジンの軸２を設ける。ラセンのプロペラ１の周りに流線形の一部の形の筒４を設ける。ラセンのプロペラ１の周りに流線形の一部の形の筒４とうしろの軸受７を、固定させるうしろの固定アーム８を設ける。またラセンのプロペラ１の前側に流線形の一部の形をした前の軸受６を設ける。流線形の一部の形の筒４と前の軸受６を固定させる前の固定アーム５を設ける。流線形の一部の形の筒４はエンジン又は機体と固定させる。またラセンのプロペラ１と、流線形の一部の形の筒４とのすきまを必要最小限設ける。【選択図】図１
2005350044.tif 000002
【特許請求の範囲】
【請求項１】
二枚のラセンのプロペラ１を流線形の一部の形の軸３に設ける。その中心にエンジンの軸２を設ける。ラセンのプロペラ１の周りに流線形の一部の形の筒４を設ける。ラセンのプロペラ１の周りに流線形の一部の形の筒４と、うしろの軸受７を、固定させるうしろの固定アーム８を設ける。またラセンのプロペラ１の前側に流線形の一部の形をした前の軸受６を設ける。流線形の一部の形の筒４と、前の軸受６を固定させる前の固定アーム５を設ける。流線形の一部の形の筒４はエンジン又は機体と固定させる。またラセンのプロペラ１と流線形の一部の形の筒４との、すきまを必要最小限設ける。二枚のラセンのプロペラと、流線形の一部の形の筒を設けた事により、空気を勢いよく後部に押し出す事ができ、また中央を流線形にした事により、空気を逆流させずにすんだ。この筒内回転ラセン式プロペラに必要なもの全てを設けるものとする。
【発明の詳細な説明】
【技術分野】
【０００１】二枚のラセンのプロペラを流線形の軸に設ける。その周りに流線形の一部の形をした筒を設け、その筒内を回転させ、推進力を生みだす筒内回転ラセン式プロペラに関するものである。
【背景技術】
【０００２】従来のプロペラは空気をうしろにおいやるが、この時広範囲に渡り推力を分散してしまう。またエネルギーをロスしてしまう。また速く飛ぶ事が不可能である。
【発明の開示】
【発明が解決しようとする課題】
【０００３】従来のプロペラは空気をうしろにおいやるが、この時広範囲に渡り推力を分散してしまう。このため推力が弱い、またエネルギーをロスしてしまう。また速く飛ぶ事が不可能であるこれを解決するもの。
【発明が解決するための手段】
【０００４】二枚のラセンのプロペラ１を流線形の一部の形の軸３に設ける。その中心にエンジンの軸２を設ける。ラセンのプロペラ１の周りに流線形の一部の形の、筒４を設ける。ラセンのプロペラ１の周りに流線形の一部の形の筒４と、うしろの軸受７を、固定させるうしろの固定アーム８を設ける。またラセンのプロペラ１の前側に流線形の一部の形をした前の軸受６を設ける。流線形の一部の形の筒４と、前の軸受６を固定させる前の固定アーム５を設ける。流線形の一部の形の筒４はエンジン又は機体と固定させる。またラセンのプロペラ１と流線形の一部の形をした筒４との、すきまを必要最小限設ける。二枚のラセンのプロペラと流線形の一部の形の筒を設けた事により、空気を勢いよく後部に押し出す事ができ、また中央を流線形にした事により、空気を逆流させないものとした。この筒内回転ラセン式プロペラに必要なもの全てを設ける。
【発明の効果】
【０００５】この発明により強力な推力を生むことができ、高速飛行と省エネが可能になった。
【発明を実施するための最良の形態】
【０００６】はき出し口から空気を吹き出す勢いを強力にする事ができ、大きな推力を生む事ができ、省エネを可能にする。
【実施例】
【０００７】二枚のラセンのプロペラ１を流線形の一部の形の軸に設ける。その中心にエンジンの軸２を設ける。ラセンのプロペラの周りに流線形の一部の形をした筒４を設ける。ラセンのプロペラ１の周りに流線形の一部の形の筒４とうしろの軸受７を、固定させるうしろの固定アーム８を設けるまたラセンのプロペラ１の前側に流線形の一部の形をした前の固定アーム５を設ける。流線形の一部の形の筒４はエンジン又は機体と固定させる。またラセンのプロペラ１と流線形の一部の形の筒４との、すきまを必要最小限設ける。二枚のラセンのプロペラと流線形の一部の形の筒を設けた事により、空気を勢いよく後部に押し出す事ができ、また中央を流線形にした事により、空気を逆流させずにすんだ。この筒内回転式プロペラに必要なもの全てを全けるものとする。この発明によりはき出し口から空気の吹き出す勢いを強くすることができ、高速飛行と省エネが可能となった。
【産業上の利用可能性】
【０００８】この発明により、はき出し口から空気の吹き出す勢いを強くする事ができ、高速飛行と省エネを可能とする筒内回転ラセン式プロペラで、利用範囲は多種多用とする。
【図面の簡単な説明】
【０００９】
【図１】この発明の実施例を示す透視斜視図と平面図
【図２】この発明の実施例を示す筒内回転ラセン式プロペラの断面図
【符号の説明】
１、ラセンのプロペラ            ５、前の固定アーム
２、エンジンの軸                ６、前の軸受
３、流線形の一部の形の軸        ７、うしろの軸受
４、流線形の一部の形の筒        ８、うしろの固定アーム
【図１】
2005350044.tif 000003
【図２】
2005350044.tif 000004